(57)【要約】【課題】製品本体または化粧パネルの側壁の全周に断熱材を設けずに、簡易な構成で天井材に水滴が伝わることを抑制することができる天井埋込型空気調和機を提供する。【解決手段】天井材に形成された四角形の開口部８１を挟んで、開口部８１の上方の天井裏に取り付けられる製品本体と、開口部８１を下方から覆うように取り付けられる化粧パネル２０とを備え、化粧パネル２０の側壁２０Ｅが開口部８１の端縁と対面するように取り付けられる天井埋込型空気調和機において、開口部８１の端縁と対面する側壁２０Ｅには、開口部８１の端縁との干渉を防止するスペーサ５１が取り付けられるとともに、スペーサ５１は、側壁２０Ｅのコーナー部４１に取り付けられ、このコーナー部４１を形成する２つの側壁２１Ａ，２３Ａが、開口部８１の端縁との干渉を防止するように構成されている。【選択図】図３
2013213621.tif 000002
【特許請求の範囲】
【請求項１】
天井材（８）に形成された四角形の開口部（８１）を挟んで、この開口部（８１）の上方の天井裏に取り付けられる製品本体（１０）と、前記開口部（８１）を下方から覆うように取り付けられる化粧パネル（２０）とを備え、前記製品本体（１０）及び前記化粧パネル（２０）のいずれか一方の側壁（２０Ｅ）が前記開口部（８１）の端縁（８１Ａ，８１Ｂ，８１Ｃ，８１Ｄ）と対面するように取り付けられる天井埋込型空気調和機（１）において、
前記開口部（８１）の端縁（８１Ａ，８１Ｂ，８１Ｃ，８１Ｄ）と対面する前記側壁（２０Ｅ）には、この側壁（２０Ｅ）と前記開口部（８１）の端縁（８１Ａ，８１Ｂ，８１Ｃ，８１Ｄ）との干渉を防止するスペーサ（５１，５２，５３，５４）が取り付けられるとともに、
前記スペーサ（５１，５２，５３，５４）は、前記側壁（２０Ｅ）の少なくとも１つのコーナー部（４１，４２，４３，４４）に取り付けられ、このコーナー部（４１，４２，４３，４４）を形成する２つの側壁（２１Ａ，２２Ａ，２３Ａ，２４Ａ）が、前記開口部（８１）の端縁（８１Ａ，８１Ｂ，８１Ｃ，８１Ｄ）との干渉を防止するように構成されている
ことを特徴とする天井埋込型空気調和機。
【請求項２】
請求項１に記載の天井埋込型空気調和機において、
前記化粧パネル（２０）の側壁（２０Ｅ）が、前記開口部（８１）の端縁と対面するように取り付けられ、前記化粧パネル（２０）の側壁（２０Ｅ）に、前記スペーサ（５１，５２，５３，５４）が設けられる
ことを特徴とする天井埋込型空気調和機。
【請求項３】
請求項２に記載の天井埋込型空気調和機において、
前記スペーサ（５１，５２，５３，５４）は、上方に向けて先細りとなるテーパ形状を有する
ことを特徴とする天井埋込型空気調和機。
【請求項４】
請求項１〜３のいずれか一項に記載の天井埋込型空気調和機において、
前記スペーサ（５１，５２，５３，５４）は、樹脂材料により形成されている
ことを特徴とする天井埋込型空気調和機。
【請求項５】
請求項１〜４のいずれか一項に記載の天井埋込型空気調和機において、
前記スペーサ（５１，５２，５３，５４）が、前記側壁（２０Ｅ）の４つのコーナー部（４１，４２，４３，４４）に取り付けられている
ことを特徴とする天井埋込型空気調和機。
【発明の詳細な説明】
【技術分野】
【０００１】
本願発明は、天井埋込型空気調和機に係り、より詳しくは製品本体及び化粧パネルのいずれか一方の側壁が、天井材に形成された開口部の端縁と干渉することを防止するスペーサに関する。
【背景技術】
【０００２】
一般的に、天井埋込型空気調和機は、天井材に形成された四角形の開口部を挟んで、この開口部の上方の天井裏に取り付けられる製品本体と、天井材に形成された開口部を下方から覆うように取り付けられる化粧パネルとを備える。製品本体及び化粧パネルのいずれか一方の側壁は、天井材に形成された開口部の端縁と対面するように取り付けられる。
【０００３】
また、特許文献１に記載の空気調和装置においては、化粧パネルと天井板との間に上下方向間隔を調節するスペーサ部材が設けられている。
【先行技術文献】
【特許文献】
【０００４】
【特許文献１】特開２００１−１９３９６０号公報
【発明の概要】
【発明が解決しようとする課題】
【０００５】
しかし、特許文献１の空気調和装置においては、製品本体または化粧パネルの側壁と、天井板に形成された開口部の端縁との間隔を確保することについて何ら考慮されていない。天井埋込型空気調和機の稼働により、製品本体の周囲における空気中の水蒸気が凝結して、製品本体に水滴が付着したり、製品本体に生じた水滴が、化粧パネルに伝わったりする。従って、製品本体または化粧パネルの側壁と、天井板に形成された開口部の端縁との間隔が確保されていない場合には、水滴が天井材に伝わって、天井材に染みが生じるという問題がある。
【０００６】
製品本体または化粧パネルの側壁の全周に断熱材を設けることによって、製品本体または化粧パネルに水滴が付着することを抑制し、これにより天井材に水滴が伝わることを抑制することができるが、部品点数が増えたり、組み立て工数が増加したりするという不都合がある。
【０００７】
本発明は、こうした実情に鑑みてなされたものであり、その目的は、製品本体または化粧パネルの側壁の全周に断熱材を設けずに、簡易な構成で天井材に水滴が伝わることを抑制することができる天井埋込型空気調和機を提供することにある。
【課題を解決するための手段】
【０００８】
請求項１に記載の発明は、天井材に形成された四角形の開口部を挟んで、この開口部の上方の天井裏に取り付けられる製品本体と、前記開口部を下方から覆うように取り付けられる化粧パネルとを備え、前記製品本体及び前記化粧パネルのいずれか一方の側壁が前記開口部の端縁と対面するように取り付けられる天井埋込型空気調和機において、前記開口部の端縁と対面する前記側壁には、この側壁と前記開口部の端縁との干渉を防止するスペーサが取り付けられるとともに、前記スペーサは、前記側壁のコーナー部に取り付けられ、このコーナー部を形成する２つの側壁が、前記開口部の端縁との干渉を防止するように構成されていることを特徴とする。
【０００９】
上記構成によれば、スペーサは、製品本体及び化粧パネルのいずれか一方の側壁のコーナー部に取り付けられ、このコーナー部を形成する２つの側壁が、天井材に形成された開口部の端縁との干渉を防止するように構成されている。従って、１つのスペーサにより、２つの側壁と天井材との間隔が確保される。このため、側壁の全周に断熱材を設けずに、簡易な構成で天井材に水滴が伝わることを抑制することができる。
【００１０】
請求項２に記載の発明は、請求項１に記載の天井埋込型空気調和機において、前記化粧パネルの側壁が、前記開口部の端縁と対面するように取り付けられ、前記化粧パネルの側壁に、前記スペーサが設けられることを特徴とする。
【００１１】
上記構成によれば、天井材に形成された開口部の端縁と対面する化粧パネルの側壁に、スペーサが設けられるため、化粧パネルから天井材に水滴が伝わることを抑制することができる。
【００１２】
請求項３に記載の発明は、請求項２に記載の天井埋込型空気調和機において、前記スペーサは、上方に向けて先細りとなるテーパ形状を有することを特徴とする。
上記構成によれば、スペーサは、上方に向けて先細りとなるテーパ形状を有するため、スペーサが、天井材に形成された開口部の端縁に引っ掛からないようにすることができる。従って、化粧パネルの側壁と、天井材の開口部の端縁との間にスペーサを容易に配置することができる。
【００１３】
請求項４に記載の発明は、請求項１〜３のいずれか一項に記載の天井埋込型空気調和機において、前記スペーサは、樹脂材料により形成されていることを特徴とする。
上記構成によれば、スペーサは、樹脂材料により形成されているため、アルミニウムまたはステンレス等の金属材料により形成されている場合に比べて、空気中の水蒸気が凝結してスペーサに水滴が付着することを抑制することができる。
【００１４】
請求項５に記載の発明は、請求項１〜４のいずれか一項に記載の天井埋込型空気調和機において、前記スペーサが、前記側壁の４つのコーナー部に取り付けられていることを特徴とする。
【００１５】
上記構成によれば、スペーサが、製品本体及び化粧パネルのいずれか一方の側壁の４つのコーナー部に取り付けられているため、立方体形状または直方体形状の製品本体または化粧パネルと、天井材との間隔を確実に確保することができる。
【発明の効果】
【００１６】
本発明によれば、スペーサは、製品本体及び化粧パネルのいずれか一方の側壁のコーナー部に取り付けられ、このコーナー部を形成する２つの側壁が、天井材に形成された開口部の端縁との干渉を防止するように構成される。従って、１つのスペーサにより、２つの側壁と天井材との間隔が確保されるため、側壁の全周に断熱材を設けずに、簡易な構成で天井材に水滴が伝わることを抑制することができる。
【図面の簡単な説明】
【００１７】
【図１】本発明の実施形態に係る天井埋込型空気調和機について、製品本体及び化粧パネルを示す斜視図。
【図２】同実施形態に係る天井埋込型空気調和機が備える化粧パネルを示す斜視図。
【図３】同実施形態に係る化粧パネルの構成を模式的に示す平面図。
【図４】（ａ）同実施形態に係る化粧パネルが有する側壁のコーナー部を示す斜視図、（ｂ）同化粧パネルの分解斜視図。
【図５】同実施形態に係る天井埋込型空気調和機が据え付けられた状態を示す模式図。
【図６】同実施形態に係る天井埋込型空気調和機が据え付けられた状態を示す模式図。
【発明を実施するための形態】
【００１８】
以下、本発明を具体化した一実施形態について図面を参照しながら説明する。なお、各図において矢印で示す「上方」は、同一の方向である。同様に、各図において矢印で示す「下方」は、同一の方向である。
【００１９】
図１に示すように、本実施形態の天井埋込型空気調和機１（以下、「空気調和機１」）は、空気調和を行う製品本体１０と、製品本体１０を下方から覆う化粧パネル２０とを備える。製品本体１０と化粧パネル２０とは、天井材８に形成された四角形の開口部８１を挟んで設けられる。
【００２０】
製品本体１０は、開口部８１の上方の空間である天井裏に取り付けられる。製品本体１０は、吊りボルト９１及びナット９２により建築構造部材（不図示）に吊り下げられる。製品本体１０は、送風機及び熱交換器（図示略）を収納する本体ケーシング１１と、熱交換器の下方に設けられるドレンパン１２とを有する。
【００２１】
本体ケーシング１１は、下方に向けて開口する開口部１１Ａを有する。開口部１１Ａには、同開口部１１Ａを部分的に覆うようにドレンパン１２が設けられる。開口部１１Ａにドレンパン１２が設けられることにより、製品本体１０には、空気吸込口１０Ａと空気吹出口１０Ｂ，１０Ｃが形成される。また、本体ケーシング１１には、吊りボルト９１及びナット９２により吊り下げられる吊り金具１３が設けられている。
【００２２】
化粧パネル２０は、開口部８１を下方から覆うように取り付けられる。化粧パネル２０は、製品本体１０の本体ケーシング１１にねじ止め固定される。化粧パネル２０は、四角枠２０Ａを形成する長辺フレーム２１，２２及び短辺フレーム２３，２４と、四角枠２０Ａ内に設けられる内側フレーム２５，２６と、四角枠２０Ａ内の空間を覆う下面パネル２７とを備える。
【００２３】
長辺フレーム２１，２２は、互いに間隔を空けて、かつ平行に設けられている。長辺フレーム２１の一端は、短辺フレーム２３に接続され、他端は、短辺フレーム２４に接続されている。同様に、長辺フレーム２２の一端は、短辺フレーム２３に接続され、他端は、短辺フレーム２４に接続されている。長辺フレーム２１，２２は、長方形状の四角枠２０Ａの長辺を形成する。
【００２４】
短辺フレーム２３，２４は、互いに間隔を空けて、かつ平行に設けられている。短辺フレーム２３，２４の各々は、同一平面上において長辺フレーム２１，２２に対して直交する。即ち、長辺フレーム２１，２２の長手方向と、短辺フレーム２３，２４の長手方向とは直交する。短辺フレーム２３，２４は、長方形状の四角枠２０Ａの短辺を形成する。
【００２５】
内側フレーム２５，２６は、四角枠２０Ａ内において長辺フレーム２１，２２と平行に設けられている。内側フレーム２５は、長辺フレーム２１との間に室内吹出口２０Ｂが形成されるように、長辺フレーム２１と間隔を空けて設けられている。室内吹出口２０Ｂには、風向を調整する風向板２８が設けられる。
【００２６】
内側フレーム２６は、長辺フレーム２２との間に室内吹出口２０Ｃが形成されるように、長辺フレーム２２と間隔と空けて設けられている。室内吹出口２０Ｃには、風向板２８と異なる方向への風向を調整する風向板２９が設けられる。
【００２７】
下面パネル２７は、四角枠２０Ａ内、かつ、内側フレーム２５，２６の間に設けられている。下面パネル２７は、内側フレーム２５，２６との間に室内吸込口２０Ｄが形成されるように、内側フレーム２５，２６と間隔を空けて設けられている。
【００２８】
また、図２に示すように、化粧パネル２０は、下面パネル２７（図１参照）の上方に設けられるエアフィルタ部材３１と、短辺フレーム２３と長辺フレーム２１，２２の一端との接続を補強する補強部材３２と、短辺フレーム２４と長辺フレーム２１，２２の他端との接続を補強する補強部材３３とを備える。
【００２９】
エアフィルタ部材３１は、空気中の塵埃を捕捉する濾材３１Ａと、濾材３１Ａを支持する支持枠３１Ｂとを備える。支持枠３１Ｂは、内側フレーム２５，２６に固定され、濾材３１Ａは、四角枠２０Ａ内において内側フレーム２５，２６間に設けられている。
【００３０】
補強部材３２は、短辺フレーム２３を、長辺フレーム２１，２２と、内側フレーム２５，２６とに接続する。各フレーム２１〜２３，２５，２６は、ねじ止めにより補強部材３２に固定されている。
【００３１】
補強部材３３は、短辺フレーム２４を、長辺フレーム２１，２２と、内側フレーム２５，２６とに接続する。各フレーム２１，２２，２４〜２６は、ねじ止めにより補強部材３３に固定されている。
【００３２】
図３を参照して、化粧パネル２０を上方から見たときの構成を説明する。図３においては、下面パネル２７、風向板２８，２９、及びエアフィルタ部材３１の図示は省略している。
【００３３】
図３に示すように、化粧パネル２０は、各フレーム２１〜２４により形成される上下方向に延びる側壁２０Ｅを有する。側壁２０Ｅは、天井材８の開口部８１（図１参照）の端縁と対面する。図３中の二点鎖線は、化粧パネル２０が開口部８１を下方から覆うように取り付けられた状態における開口部８１の端縁を示している。
【００３４】
側壁２０Ｅは、長辺フレーム２１が有する側壁２１Ａと、長辺フレーム２２が有する側壁２２Ａと、短辺フレーム２３が有する側壁２３Ａと、短辺フレーム２４が有する側壁２４Ａとにより構成される。側壁２１Ａ，２２Ａ，２３Ａ，２４Ａは、開口部８１内に下方から嵌め込まれるため、上方から見て、側壁２０Ｅの外形は開口部８１よりも小さい。
【００３５】
側壁２１Ａは、開口部８１が有する端縁８１Ａに対して間隔を空けて対面し、側壁２２Ａは、開口部８１が有する端縁８１Ｂに対して間隔を空けて対面する。端縁８１Ａ，８１Ｂは、開口部８１の端縁の一部であって、互いに間隔を空けて平行に延びている。
【００３６】
側壁２３Ａは、開口部８１が有する端縁８１Ｃに対して間隔を空けて対面し、側壁２４Ａは、開口部８１が有する端縁８１Ｄに対して間隔を空けて対面する。端縁８１Ｃ，８１Ｄは、開口部８１の端縁の一部であって、互いに間隔を空けて平行に延びている。
【００３７】
また、長辺フレーム２１は、側壁２１Ａの下端部から端縁８１Ａに向けて水平に突出する外装壁２１Ｂを有し、長辺フレーム２２は、側壁２２Ａの下端部から端縁８１Ｂに向けて水平に突出する外装壁２２Ｂを有している。
【００３８】
また、短辺フレーム２３は、側壁２３Ａの下端部から端縁８１Ｃに向けて水平に突出する外装壁２３Ｂを有し、短辺フレーム２４は、側壁２４Ａの下端部から端縁８１Ｄに向けて水平に突出する外装壁２４Ｂを有している。
【００３９】
外装壁２１Ｂ〜２４Ｂは、開口部８１を下方から覆い、開口部８１の端縁と四角枠２０Ａとの隙間が、天井材８（図１参照）の下方から、即ち室内から見えないように構成されている。
【００４０】
また、側壁２０Ｅは、長辺フレーム２１と短辺フレーム２３とが接続されるコーナー部４１と、長辺フレーム２２と短辺フレーム２３とが接続されるコーナー部４２と、長辺フレーム２１と短辺フレーム２４とが接続されるコーナー部４３と、長辺フレーム２２と短辺フレーム２４とが接続されるコーナー部４４とを有する。
【００４１】
側壁２０Ｅの各コーナー部４１〜４４には、側壁２０Ｅと開口部８１の端縁との干渉を防止するスペーサ５１〜５４が取り付けられている。
スペーサ５１は、コーナー部４１に取り付けられている。スペーサ５１は、コーナー部４１を形成する２つの側壁２１Ａ，２３Ａと、開口部８１の端縁８１Ａ，８１Ｃとの間隔を確保する。スペーサ５１は、上方に向かうにつれて、開口部８１の端縁８１Ａから遠ざかるように傾斜するテーパ面５１Ａ（図４参照）を有する。テーパ面５１Ａは、スペーサ５１の上端部を構成する。即ち、スペーサ５１は、上方に向けて先細りとなるテーパ形状を有する。
【００４２】
スペーサ５２は、コーナー部４２に取り付けられている。スペーサ５２は、コーナー部４２を形成する２つの側壁２２Ａ，２３Ａと、開口部８１の端縁８１Ｂ，８１Ｃとの間隔を確保する。スペーサ５２は、スペーサ５１と同様に、上方に向かうにつれて、開口部８１の端縁８１Ｂから遠ざかるように傾斜するテーパ面５２Ａを有する。テーパ面５２Ａは、スペーサ５２の上端部を構成する。即ち、スペーサ５２は、上方に向けて先細りとなるテーパ形状を有する。
【００４３】
スペーサ５３は、コーナー部４３に取り付けられている。スペーサ５３は、コーナー部４３を形成する２つの側壁２１Ａ，２４Ａと、開口部８１の端縁８１Ａ，８１Ｄとの間隔を確保する。スペーサ５３は、スペーサ５１と同様に、上方に向かうにつれて、開口部８１の端縁８１Ａから遠ざかるように傾斜するテーパ面５３Ａを有する。テーパ面５３Ａは、スペーサ５３の上端部を構成する。即ち、スペーサ５３は、上方に向けて先細りとなるテーパ形状を有する。
【００４４】
スペーサ５４は、コーナー部４４に取り付けられている。スペーサ５４は、コーナー部４４を形成する２つの側壁２２Ａ，２４Ａと、開口部８１の端縁８１Ｂ，８１Ｄとの間隔を確保する。スペーサ５４は、スペーサ５１と同様に、上方に向かうにつれて、開口部８１の端縁８１Ｂから遠ざかるように傾斜するテーパ面５４Ａを有する。テーパ面５４Ａは、スペーサ５４の上端部を構成する。即ち、スペーサ５４は、上方に向けて先細りとなるテーパ形状を有する。
【００４５】
図４を参照して、スペーサ５１について詳しく説明する。
図４に示すように、スペーサ５１は、短辺フレーム２３の外装壁２３Ｂ上に設けられる。スペーサ５１のテーパ面５１Ａは、長辺フレーム２１の側壁２１Ａよりも開口部８１の端縁８１Ａ（図３参照）に向けて突出している。スペーサ５１は、おねじ６１を用いたねじ止めにより短辺フレーム２３に固定されている。おねじ６１は、短辺フレーム２３及び補強部材３２にはねじ込まれずに、長辺フレーム２１にねじ込まれる。スペーサ５１は、樹脂材料により形成されている。
【００４６】
なお、スペーサ５２〜５４も、スペーサ５１と同様に設けられている。図３に示すように、スペーサ５２は、短辺フレーム２３の外装壁２３Ｂ上に設けられ、スペーサ５３，５４は、短辺フレーム２４の外装壁２４Ｂ上に設けられる。テーパ面５３Ａは、長辺フレーム２１の側壁２１Ａよりも開口部８１の端縁８１Ａに向けて突出し、テーパ面５２Ａ，５４Ａは、長辺フレーム２２の側壁２２Ａよりも開口部８１の端縁８１Ｂに向けて突出している。スペーサ５２は、ねじ止めにより短辺フレーム２３に固定され、スペーサ５３，５４は、ねじ止めにより短辺フレーム２４に固定されている。スペーサ５２〜５４も、樹脂材料により形成されている。
【００４７】
図５及び図６を参照して、スペーサ５１〜５４の作用について説明する。なお、図５においては、スペーサ５２、５４の図示は省略し、図６においては、スペーサ５３、５４の図示は省略している。
【００４８】
図５に示すように、スペーサ５１，５２の各々は、短辺フレーム２３の側壁２３Ａと端縁８１Ｃとの間に位置し、側壁２３Ａと端縁８１Ｃとの干渉を防止する。また、スペーサ５３，５４の各々は、短辺フレーム２４の側壁２４Ａと端縁８１Ｄとの間に位置し、側壁２４Ａと端縁８１Ｄとの干渉を防止する。
【００４９】
また、図６に示すように、スペーサ５１，５３の各々は、長辺フレーム２１の側壁２１Ａから端縁８１Ａに向けて突出し、側壁２１Ａと端縁８１Ａとの干渉を防止する。また、スペーサ５２，５４の各々は、長辺フレーム２２の側壁２２Ａから端縁８１Ｂに向けて突出し、側壁２２Ａと端縁８１Ｂとの干渉を防止する。
【００５０】
また、空気調和機１が据え付けられるとき、即ち、化粧パネル２０を下方から上方に持ち上げて側壁２０Ｅを開口部８１内に嵌め込むときに、開口部８１の端縁がテーパ面５１Ａ〜５４Ａに当たった場合であっても、化粧パネル２０を持ち上げて、開口部８１内に側壁２０Ｅが滞りなく嵌め込まれる。
【００５１】
本実施形態に係る空気調和機１は、以上のように構成されているので、次のような効果を奏することができる。
（１）スペーサ５１は、化粧パネル２０の側壁２０Ｅのコーナー部４１に取り付けられ、コーナー部４１を形成する２つの側壁２１Ａ，２３Ａが、天井材８に形成された開口部８１の端縁８１Ａ，８１Ｃとの干渉を防止するように構成されている。従って、１つのスペーサ５１により、２つの側壁２１Ａ，２３Ａと天井材８との間隔が確保される。このため、側壁２０Ｅの全周に断熱材を設けずに、簡易な構成で天井材８に水滴が伝わることを抑制することができる。
【００５２】
（２）スペーサ５２は、化粧パネル２０の側壁２０Ｅのコーナー部４２に取り付けられ、コーナー部４２を形成する２つの側壁２２Ａ，２３Ａが、天井材８に形成された開口部８１の端縁８１Ｂ，８１Ｃとの干渉を防止するように構成されている。従って、１つのスペーサ５２により、２つの側壁２２Ａ，２３Ａと天井材８との間隔が確保される。このため、側壁２０Ｅの全周に断熱材を設けずに、簡易な構成で天井材８に水滴が伝わることを抑制することができる。
【００５３】
（３）スペーサ５３は、化粧パネル２０の側壁２０Ｅのコーナー部４３に取り付けられ、コーナー部４３を形成する２つの側壁２１Ａ，２４Ａが、天井材８に形成された開口部８１の端縁８１Ａ，８１Ｄとの干渉を防止するように構成されている。従って、１つのスペーサ５３により、２つの側壁２１Ａ，２４Ａと天井材８との間隔が確保される。このため、側壁２０Ｅの全周に断熱材を設けずに、簡易な構成で天井材８に水滴が伝わることを抑制することができる。
【００５４】
（４）スペーサ５４は、化粧パネル２０の側壁２０Ｅのコーナー部４４に取り付けられ、コーナー部４４を形成する２つの側壁２２Ａ，２４Ａが、天井材８に形成された開口部８１の端縁８１Ｂ，８１Ｄとの干渉を防止するように構成されている。従って、１つのスペーサ５４により、２つの側壁２２Ａ，２４Ａと天井材８との間隔が確保される。このため、側壁２０Ｅの全周に断熱材を設けずに、簡易な構成で天井材８に水滴が伝わることを抑制することができる。
【００５５】
（５）化粧パネル２０の側壁２０Ｅが、開口部８１の端縁と対面するように取り付けられ、化粧パネル２０の側壁２０Ｅに、スペーサ５１〜５４が設けられるため、化粧パネル２０から天井材８に水滴が伝わることを抑制することができる。
【００５６】
（６）スペーサ５１〜５４は、上方に向けて先細りとなるテーパ形状を有する。このため、スペーサ５１〜５４が、天井材８に形成された開口部８１の端縁に引っ掛からないようにすることができる。従って、化粧パネル２０の側壁２０Ｅと、天井材８の開口部８１の端縁との間にスペーサ５１〜５４を容易に配置することができる。
【００５７】
（７）スペーサ５１〜５４は、樹脂材料により形成されているため、アルミニウムまたはステンレス等の金属材料により形成されている場合に比べて、空気中の水蒸気が凝結してスペーサ５１〜５４に水滴が付着することを抑制することができる。
【００５８】
（８）スペーサ５１〜５４が、側壁２０Ｅの４つのコーナー部４１〜４４に取り付けられているため、直方体形状の化粧パネル２０と、天井材８との間隔を確実に確保することができる。
【００５９】
本発明は、上記実施形態に限定されるものではなく、例えば以下の変形例も適用可能であり、それらを本発明の範囲から除外するものではない。なお、以下の変形例について、異なる変形例を組み合わせてもよい。
【００６０】
・上記実施形態では、製品本体１０の形状は直方体形状であるが、製品本体の形状を立方体形状とすることもできる。また、製品本体１０の形状変更に併せて、化粧パネル２０の形状を変更することもできる。
【００６１】
・上記実施形態では、４つのコーナー部４１〜４４にスペーサ５１〜５４が取り付けられているが、例えば、２つのコーナー部４３，４４にスペーサ５３，５４を取り付けないようにすることもできる。即ち、全てのコーナー部４１〜４４にスペーサを取り付けられていなくてもよく、４つのコーナー部４１〜４４のいずれかにスペーサが取り付けられていれば、上記（１）〜（４）のいずれかの効果が得られる。また、４つのコーナー部４１〜４４のうち四角形状の側壁２０Ｅにおいて対角となる２つのコーナー部に、スペーサが取り付けられていれば、上下方向に互いに垂直な四方において化粧パネル２０と天井材８との間隔を確保することができる。
【００６２】
・上記実施形態では、スペーサ５１〜５４は、樹脂材料により形成されているが、例えば、スペーサ５１〜５４が、金属材料により形成されていてもよい。即ち、スペーサ５１〜５４の形成材料は適宜変更することもできる。
【００６３】
・上記実施形態では、スペーサ５１〜５４は、上方に向けて先細りとなるテーパ形状を有するが、スペーサ５１〜５４が、上記テーパ形状を有していなくてもよい。即ち、スペーサ５１〜５４の形状は適宜変更することもできる。
【００６４】
・上記実施形態では、化粧パネル２０の側壁２０Ｅにスペーサ５１〜５４が設けられているが、製品本体の側壁が開口部８１の端縁と対面する天井埋込型空気調和機においては、製品本体の側壁にスペーサが設けられることにより、上記（１）〜（４）に準じた効果が得られる。
【符号の説明】
【００６５】
１…天井埋込型空気調和機、８…天井材、１０…製品本体、１１…本体ケーシング、２０…化粧パネル、２０Ａ…四角枠、２０Ｅ…側壁、２１，２２…長辺フレーム、２１Ａ，２２Ａ…側壁、２１Ｂ，２２Ｂ…外装壁、２３，２４…短辺フレーム、２３Ａ，２４Ａ…側壁、２３Ｂ，２４Ｂ…外装壁、３２，３３…補強部材、４１〜４４…コーナー部、５１〜５４…スペーサ、５１Ａ〜５４Ａ…テーパ面、６１…おねじ、８１…開口部、８１Ａ〜８１Ｄ…端縁。
【図１】
2013213621.tif 000003
【図２】
2013213621.tif 000004
【図３】
2013213621.tif 000005
【図４】
2013213621.tif 000006
【図５】
2013213621.tif 000007
【図６】
2013213621.tif 000008